【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
複数のマイクロレンズそれぞれに対して複数の光電変換部を備える画素部と、制御信号に応じて、前記画素部から、焦点検出に用いられる焦点検出信号、および、前記マイクロレンズごとに前記複数の光電変換部の信号を加算した画像信号を、加算読み出しまたは間引き読み出しにより読み出す読み出し制御手段と、を有する撮像素子から出力される焦点検出信号および画像信号を処理する画像処理装置であって、
前記撮像素子から読み出された画像信号を、前記制御信号に基づいて、予め決められたサイズの画像の画像信号に変換する変換手段と
を有することを特徴とする画像処理装置。
【請求項２】
前記撮像素子の特性に起因する撮像画像の劣化を補正する、第１の補正手段と第２の補正手段の少なくともいずれか一方を備え、
前記第１の補正手段は、前記変換手段によりサイズを変換する前の画像の画像信号に補正を行い、前記第２の補正手段は、前記変換手段によりサイズを変換された後の画像の画像信号に補正を行うことを特徴とする請求項１に記載の画像処理装置。
【請求項３】
前記第１の補正手段は、異なる前記制御信号ごとにそれぞれ異なる補正パラメータを用いて補正を行い、
前記第２の補正手段は、前記制御信号によらず共通の補正パラメータを用いて補正を行う
ことを特徴とする請求項２に記載の画像処理装置。
【請求項４】
前記焦点検出信号に基づいて、焦点状態を検出する焦点検出手段を更に有することを特徴とする請求項１乃至３のいずれか１項に記載の画像処理装置。
【請求項５】
前記制御信号は、前記複数の光電変換部を分割する方向を示すことを特徴とする請求項１乃至４のいずれか１項に記載の画像処理装置。
【請求項６】
前記制御信号が第１の方向の分割を示す場合に、前記読み出し制御手段は、前記第１の方向と直交する第２の方向に隣接する複数のマイクロレンズにそれぞれ対応する前記複数の光電変換部を前記第１の方向に２つに分割し、該分割した少なくとも一方の光電変換部の信号を加算して、前記焦点検出信号として読み出すことを特徴とする請求項５に記載の画像処理装置。
【請求項７】
前記制御信号が第１の方向の分割を示す場合に、前記読み出し制御手段は、前記第１の方向と直交する第２の方向に隣接する複数のマイクロレンズにそれぞれ対応する前記複数の光電変換部の信号を加算して、前記画像信号として読み出し、
前記画像信号から、前記一方の前記焦点検出信号を減算することで、他方の焦点検出信号を求める演算手段を更に有することを特徴とする請求項６に記載の画像処理装置。
【請求項８】
前記変換手段は、前記第１の方向に画像のサイズを調整する第１の調整手段と、前記第２の方向に画像のサイズを調整する第２の調整手段とを有し、
前記制御信号が第１の方向の分割を示す場合に、前記第１の調整手段により調整を行い、前記制御信号が第２の方向の分割を示す場合に、前記第２の調整手段により調整を行うことを特徴とする請求項７に記載の画像処理装置。
【請求項９】
前記焦点検出手段は、複数の相関演算方法を用いて焦点状態を検出することが可能であって、
前記制御信号は、前記複数の相関演算方法の１つを示すことを特徴とする請求項４に記載の画像処理装置。
【請求項１０】
前記読み出し制御手段は、前記相関演算方法に応じて、前記加算読み出しの加算数、または前記間引き読み出しの間引き率を変更することを特徴とする請求項９に記載の画像処理装置。
【請求項１１】
複数のマイクロレンズそれぞれに対して複数の光電変換部を備える画素部と、制御信号に応じて、前記撮像素子から、焦点検出に用いられる焦点検出信号と、前記マイクロレンズごとに前記複数の光電変換部の信号を加算した画像信号とを、加算または間引き読み出しにより読み出す読み出し制御手段と、を有する撮像素子と
請求項１乃至１０のいずれか１項に記載の画像処理装置と
を有することを特徴とする撮像装置。
【請求項１２】
複数のマイクロレンズそれぞれに対して複数の光電変換部を備える画素部と、制御信号に応じて、前記画素部から、焦点検出に用いられる焦点検出信号、および、前記マイクロレンズごとに前記複数の光電変換部の信号を加算した画像信号を、加算読み出しまたは間引き読み出しにより読み出す読み出し制御手段と、を有する撮像素子から出力される焦点検出信号および画像信号を処理する画像処理方法であって、
変換手段が、前記撮像素子から読み出された画像信号を、前記制御信号に基づいて、予め決められたサイズの画像の画像信号に変換する変換工程と
を有することを特徴とする画像処理方法。
【請求項１３】
補正手段が、前記変換手段によりサイズを変換された後の画像の画像信号に、前記撮像素子の特性に起因する撮像画像の劣化を補正する補正工程を更に有することを特徴とする請求項１２に記載の画像処理方法。
【請求項１４】
前記補正工程では、前記制御信号によらず共通の補正パラメータを用いて補正を行うことを特徴とする請求項１３に記載の画像処理方法。
【請求項１５】
焦点検出手段が、前記焦点検出信号に基づいて、焦点状態を検出する焦点検出工程を更に有することを特徴とする請求項１２乃至１４のいずれか１項に記載の画像処理方法。
【請求項１６】
前記制御信号は、前記複数の光電変換部を分割する方向を示すことを特徴とする請求項１２乃至１５のいずれか１項に記載の画像処理方法。
【請求項１７】
前記制御信号が第１の方向の分割を示す場合に、前記読み出し制御手段は、前記第１の方向と直交する第２の方向に隣接する複数のマイクロレンズにそれぞれ対応する前記複数の光電変換部を前記第１の方向に２つに分割し、該分割した少なくとも一方の光電変換部の信号を加算して、前記焦点検出信号として読み出すと共に、前記第１の方向と直交する第２の方向に隣接する複数のマイクロレンズにそれぞれ対応する前記複数の光電変換部の信号を加算して、前記画像信号として読み出し、
演算手段が、前記画像信号から、前記一方の前記焦点検出信号を減算することで、他方の焦点検出信号を求める演算工程を更に有することを特徴とする請求項１６に記載の画像処理方法。
【請求項１８】
前記変換工程は、
前記制御信号が第１の方向の分割を示す場合に、前記第１の方向に画像のサイズを調整する第１の調整工程と、
前記制御信号が第２の方向の分割を示す場合に、前記第２の方向に画像のサイズを調整する第２の調整工程と
を含むことを特徴とする請求項１７に記載の画像処理方法。
【請求項１９】
前記焦点検出工程では、複数の相関演算方法を用いて焦点状態を検出することが可能であって、
前記制御信号は、前記複数の相関演算方法の１つを示すことを特徴とする請求項１５に記載の画像処理方法。
【請求項２０】
前記読み出し制御手段は、前記相関演算方法に応じて、前記加算読み出しの加算数、または前記間引き読み出しの間引き率を変更することを特徴とする請求項１９に記載の画像処理方法。
【請求項２１】
コンピュータに、請求項１２乃至２０のいずれか１項に記載の画像処理方法の各工程を実行させるためのプログラム。
【請求項２２】
請求項２１に記載のプログラムを記憶したコンピュータが読み取り可能な記憶媒体。
【手続補正２】
【補正対象書類名】明細書
【補正対象項目名】０００９
【補正方法】変更
【補正の内容】
【０００９】
上記目的を達成するために、複数のマイクロレンズそれぞれに対して複数の光電変換部を備える画素部と、制御信号に応じて、前記画素部から、焦点検出に用いられる焦点検出信号、および、前記マイクロレンズごとに前記複数の光電変換部の信号を加算した画像信号を、加算読み出しまたは間引き読み出しにより読み出す読み出し制御手段と、を有する撮像素子から出力される焦点検出信号および画像信号を処理する本発明の画像処理装置は、前記撮像素子から読み出された画像信号を、前記制御信号に基づいて、予め決められたサイズの画像の画像信号に変換する変換手段とを有する。